(57)【要約】【課題】ユーザが映像音声再生装置を利用する状況に合わせて、再生するデジタルコンテンツデータの切り替えを円滑に行うことができるようにする。【解決手段】映像音声再生装置１００は、該映像音声再生装置１００の筐体が折りたたまれているか否かをセンサ部１１１にて監視し、該映像音声再生装置１００を用いて映像と音声を含むデジタルコンテンツデータを再生中に、該映像音声再生装置１００の筐体が折りたたまれた場合には、該映像と音声を含むデジタルコンテンツデータの再生を停止し、それに変わってユーザが入力部１１２の操作により予め所定の方法で指定した音声のみ聴取するデジタルコンテンツデータの再生を行う。【選択図】図１
2007306430.tif 000002
【特許請求の範囲】
【請求項１】
映像と音声とを含むコンテンツを再生して映像信号及び音声信号を出力するコンテンツ再生手段と、
ユーザが前記コンテンツ再生手段で再生されたコンテンツの映像を見ているか否かを所定の基準に従って判別する判別手段と、
を備え、
前記コンテンツ再生手段は、コンテンツを再生中に、前記判別手段がユーザが映像を見ていない状態であると判別した際に、再生中のコンテンツに代えて、所定の音声データを再生する、
ことを特徴とする映像音声再生装置。
【請求項２】
請求項１に記載の映像音声再生装置であって、
さらに、音声出力装置が接続される外部出力端子と該外部出力端子に接続された音声出力装置に前記コンテンツ再生手段からの音声信号を供給する音声信号供給手段を備え、
前記コンテンツ再生手段は、前記判別手段によるユーザが映像を見ているか否かの判別の結果と、前記外部接続端子に音声出力装置が接続されているか否かとに基づいて、前記所定の音声データを再生する、
ことを特徴とする映像音声再生装置。
【請求項３】
請求項２に記載の映像音声再生装置であって、
スピーカをさらに備え、
前記音声信号供給手段は、前記外部出力端子に音声出力装置が接続されているときには外部出力端子を介して前記音声出力装置に音声信号を供給し、前記外部出力端子に音声出力装置が接続されていないときには前記スピーカに音声信号を供給する、
ことを特徴とする映像音声再生装置。
【請求項４】
請求項１乃至３のいずれか１項に記載の映像音声再生装置であって、
表示画面を備える表示装置を備え、
前記映像音声再生装置は、前記表示装置の表示画面が遮蔽される状態と露出される状態とに切り替え可能に構成されており、
前記判別手段は、該表示装置の表示画面が遮蔽される状態か否かに基づいて、ユーザが映像を見ているか否かを判別する、
ことを特徴とする映像音声再生装置。
【請求項５】
請求項１乃至３のいずれか１項に記載の映像音声再生装置であって、
筐体と表示画面を備える表示装置とを備え、前記筐体に対する前記表示装置の表示画面が向く方向を変化させることが可能な機構を有しており、
前記判別手段は、前記表示装置の表示画面の方向に基づいて、ユーザが映像を見ているか否かを判別する、
ことを特徴とする映像音声再生装置。
【請求項６】
請求項１乃至３のいずれか１項に記載の映像音声再生装置であって、
前記判別手段は周囲の明るさを判別するセンサを備え、該センサにより検出された周囲の明るさに基づいて、ユーザが映像を見ているか否かを判別する、
ことを特徴とする映像音声再生装置。
【請求項７】
請求項１乃至６のいずれか１項に記載の映像音声再生装置であって、
前記コンテンツ再生手段は、デジタルテレビジョン放送、デジタルラジオ放送、ＦＭ音声多重放送、及びネットワークからのストリーミング放送の少なくとも一つのデジタル放送を受信する受信手段と、前記受信手段で受信したデジタル放送信号を再生する手段とを備え、
前記判別手段は、該コンテンツ再生手段によりデジタル放送を受信再生中に、ユーザが映像を見ているか否かを判別することを特徴とする映像音声再生装置。
【請求項８】
請求項７に記載の映像音声再生装置であり、ユーザが予め指定する音声のみ聴取する状態で再生する前記音声データがデジタルラジオ放送、ＦＭ音声多重放送、及びインターネット等のネットワークからのストリーミング放送の少なくとも一つのデジタル放送の音声データであることを特徴とする映像音声再生装置。
【請求項９】
請求項７に記載の映像音声再生装置であり、
さらにコンテンツ蓄積装置を備え、
前記判別手段がユーザが映像を見ていない状態であると判別した際に、前記所定の音声データの再生を開始すると共に、それまで視聴していたデジタル放送を前記コンテンツ蓄積装置に記録することを特徴とする映像音声再生装置。
【請求項１０】
請求項９に記載の映像音声再生装置であり、ユーザが予め指定した前記音声データの再生が開始された後に、ユーザが前記表示装置に表示される映像を見ている状態に復帰した際には、前記蓄積装置に記録していたデジタル放送を再生することを特徴とする映像音声再生装置。
【発明の詳細な説明】
【技術分野】
【０００１】
本発明は、デジタルコンテンツデータを再生する映像音声再生装置に関し、特に、コンテンツを再生している際に、ユーザが映像を見ないで音声のみ聴取する状態になったことを検出し、予め指定したコンテンツの音声を再生することを可能とした映像音声再生装置に関する。
【背景技術】
【０００２】
従来の映像音声再生装置では、ユーザが映像を見なくなった際もしくは見ることができなくなった際に、その映像に付随する音声のみが継続して再生されることにより、映像と音声を含むコンテンツの音声のみの視聴がなされる。
【０００３】
例えば特許文献１には、折り畳み可能で、デジタルテレビジョン放送を受信する機能を備えた携帯電話において、デジタルテレビジョン放送の受信中に映像の表示が中断され、且つ音声出力装置が接続されているときには、受信中のテレビジョンデータの音声のみを該当音声出力装置より再生し、さらに、該音声も再生できないときは、受信中のデジタルコンテンツデータをメモリに保存し、中断された画像の表示が可能になったときは、中断中にメモリに保存されたデジタルコンテンツデータを表示する携帯端末が開示される。ここに開示される携帯端末は、デジタルテレビジョン放送に付随する音声のみが、映像の表示が中断されている間に再生されるものである。
【特許文献１】特開２００５−１６７６８７号公報
【発明の開示】
【発明が解決しようとする課題】
【０００４】
従来の映像音声再生装置では、ユーザが映像を見なくなったとき若しくは見られなくなったことにより、再生対象を音声のみのコンテンツに切替えるためには、キー入力等によるメニュー操作を数回繰り返し、次に再生するコンテンツを選択する必要がある。
【０００５】
このため、外出時等にユーザが映像音声再生装置を持ち歩いて使用する際に、映像と音声の両方を視聴できる状況と音声のみ聴取できる状況とが頻繁に変化すると、再生するコンテンツを切替えるためのメニュー操作が面倒になり、いかにしてユーザの状況に応じて希望するコンテンツの再生を円滑に行うかという課題を生じる。
【０００６】
本発明は、上記の問題に鑑みなされたものであり、その目的は映像音声再生装置において、ユーザの好みと状況に応じて再生するコンテンツの切り替えを円滑に行えるようにすることである。
【課題を解決するための手段】
【０００７】
上記目的を達成するため、本発明の映像音声再生装置は、
映像と音声とを含むコンテンツを再生して映像信号及び音声信号を出力するコンテンツ再生手段と、
ユーザが前記コンテンツ再生手段で再生されたコンテンツの映像を見ているか否かを所定の基準に従って判別する判別手段と、
を備え、
前記コンテンツ再生手段は、コンテンツを再生中に、前記判別手段がユーザが映像を見ていない状態であると判別した際に、再生中のコンテンツに代えて、所定の音声データを再生する、
ことを特徴とする。
【０００８】
さらに、音声出力装置が接続される外部出力端子と該外部出力端子に接続された音声出力装置に前記コンテンツ再生手段からの音声信号を供給する音声信号供給手段を備え、
前記コンテンツ再生手段は、前記判別手段によるユーザが映像を見ているか否かの判別の結果と、前記外部接続端子に音声出力装置が接続されているか否かとに基づいて、前記所定の音声データを再生してもよい。
【０００９】
また、スピーカをさらに備え、
前記音声信号供給手段は、前記外部出力端子に音声出力装置が接続されているときには外部出力端子を介して前記音声出力装置に音声信号を供給し、前記外部出力端子に音声出力装置が接続されていないときには前記スピーカに音声信号を供給してもよい。
【００１０】
また、表示画面を備える表示装置を備え、
前記映像音声再生装置は、前記表示装置の表示画面が遮蔽される状態と露出される状態とに切り替え可能に構成されており、
前記判別手段は、該表示装置の表示画面が遮蔽される状態か否かに基づいて、ユーザが映像を見ているか否かを判別してもよい。
【００１１】
また、筐体と表示画面を備える表示装置とを備え、前記筐体に対する前記表示装置の表示画面が向く方向を変化させることが可能な機構を有しており、
前記判別手段は、前記表示装置の表示画面の方向に基づいて、ユーザが映像を見ているか否かを判別してもよい。
【００１２】
また、前記判別手段は周囲の明るさを判別するセンサを備え、該センサにより検出された周囲の明るさに基づいて、ユーザが映像を見ているか否かを判別してもよい。
【００１３】
また、前記コンテンツ再生手段は、デジタルテレビジョン放送、デジタルラジオ放送、ＦＭ音声多重放送、及びネットワークからのストリーミング放送の少なくとも一つのデジタル放送を受信する受信手段と、前記受信手段で受信したデジタル放送信号を再生する手段とを備え、
前記判別手段は、該コンテンツ再生手段によりデジタル放送を受信再生中に、ユーザが映像を見ているか否かを判別してもよい。
【００１４】
また、ユーザが予め指定する音声のみ聴取する状態で再生する前記音声データがデジタルラジオ放送、ＦＭ音声多重放送、及びインターネット等のネットワークからのストリーミング放送の少なくとも一つのデジタル放送の音声データであってもよい。
【００１５】
さらにコンテンツ蓄積装置を備え、
前記判別手段がユーザが映像を見ていない状態であると判別した際に、前記所定の音声データの再生を開始すると共に、それまで視聴していたデジタル放送を前記コンテンツ蓄積装置に記録してもよい。
【００１６】
また、ユーザが予め指定した前記音声データの再生が開始された後に、ユーザが前記表示装置に表示される映像を見ている状態に復帰した際には、前記蓄積装置に記録していたデジタル放送を再生してもよい。
【発明の効果】
【００１７】
本発明によれば、再生するデジタルコンテンツデータの切り替えをユーザは端末の利用状況に合わせて円滑にすることができる。
【発明を実施するための最良の形態】
【００１８】
（実施形態１）
本実施形態の映像音声再生装置１００は、ユーザが携帯可能な小型の端末であり、図１に示すように、受信部１０１、データ保存部１０２、デコード部１０３、映像処理部１０４、表示部１０５、音声処理部１０６、スピーカ１０７、音声出力端子１０８、制御部１１０、センサ部１１１、入力部１１２、を備える。
【００１９】
受信部１０１は、所望の放送波をアンテナで受信し、アンテナから得られる信号に基づき、後述するデコード部１０３でデジタル処理が可能なデータを復元する回路である。
【００２０】
データ保存部１０２は、フラッシュメモリ等から構成され、映像データや音声データから構成されるデジタルコンテンツデータを記憶する。
【００２１】
デコード部１０３は、受信部１０１からデジタルコンテンツデータを入力し、デジタルコンテンツデータに含まれる映像データと音声データとを分離し、それぞれ、映像処理部１０４と音声処理部１０６で処理可能なデータ形式に変換して出力する。
【００２２】
映像処理部１０４は、デコード部１０３から供給された映像データを、表示部１０５で処理可能な形態に変換して出力する。
【００２３】
表示部１０５は、例えば、液晶表示パネルとドライバとから構成され、映像処理部１０４から供給される映像データが定義する映像を表示する。
【００２４】
音声処理部１０６は、デコード部１０３から供給されたデジタル音声データをアナログ音声データに変換し、スピーカ１０７や音声出力端子１０８に出力する。
【００２５】
スピーカ１０７は、音声処理部１０６から供給されたアナログ音声データを音声に変換して放音する。
【００２６】
音声出力端子１０８は、汎用的な音声出力用接続端子を備え、ヘッドホン（イヤホンを含む）などの音声出力装置１０９が接続され、接続された音声出力装置１０９にアナログ音声データを伝達する。
【００２７】
制御部１１０は、メモリ等を内蔵するマイクロプロセッサ等から構成され、デジタルコンテンツデータの再生に必要な各処理部の動作を制御する。
【００２８】
センサ部１１１は、マグネットセンサ等から構成され、この映像音声再生装置１００が折りたたまれている状態にあるか否かを判別し、判別した結果を示す情報を制御部１１０に通知する。
【００２９】
入力部１１２は、例えば、複数の入力キーを備える入力部から構成され、ユーザの操作を受け、該操作に応じた情報を制御部１１０に通知する。
【００３０】
映像音声再生装置１００は、図２（ａ）、（ｂ）に示すように、第１の筐体２０２と第２の筐体２０３と、両筐体を接続するヒンジ部２０１とを備え、ヒンジ部２０１を中心に、図２（ａ）に示す開いた状態Ａと、図２（ｂ）に示す閉じた（折りたたんだ）状態Ｂに切り替え可能に構成されている。
【００３１】
ヒンジ部２０１は、該ヒンジ部２０１につながれた第１の筐体２０２と第２の筐体２０３とが回転する機構を有しており、ヒンジ部２０１を中心として第１の筐体２０２と第２の筐体２０３とが折り重なるようにして映像音声再生装置１００の筐体を折りたたむことができる。映像音声再生装置１００の筐体を折りたたんだ際に、センサ部１１１は第１の筐体２０２と第２の筐体２０３との向かい合う面が接したことを感知し、検知信号を制御部１１０に出力する。制御部１１０は、この検知信号により、映像音声再生装置１００の筐体が折りたたまれているか否かを判別することができる。
【００３２】
また、第１の筐体２０２には、表示部１０５、スピーカ１０７等が配置されており、第２の筐体２０３には、音声出力端子１０８、センサ部１１１、入力部１１２等が配置されている。
【００３３】
次に、上記構成の映像音声再生装置１００の動作を図３及び図４のフローチャートを参照して説明する。
【００３４】
映像音声再生装置１００は、映像と音声とを含むコンテンツを視聴している最中に、何らかの理由でユーザが映像を見なくなった場合に、それまで視聴していたコンテンツに代えて、音声のみでも有用なコンテンツ（代替コンテンツデータ）の再生に切り替えを行うものである。そして、映像音声再生装置１００が閉じられた時に、ユーザが映像を見なくなったと判別する。
【００３５】
まず、ユーザが映像を見なくなった時に再生するコンテンツ（代替コンテンツデータ）を予め選択しておく処理について図４を参照して説明する。
【００３６】
ユーザは、入力部１１２を操作して、設定用のメニュー画面の表示を指示する。
この指示に応答して、制御部１１０は、映像表示部１１４に表示データを提供して、表示部１０５に図４に例示するようなメニュー画面を表示する。このメニュー画面は、設定項目表示４０１と、機能項目４０２とを備える。設定項目表示４０１は、ユーザが映像音声再生装置１００に設定する機能項目を示す項目表示であり、機能項目４０２は、ユーザが設定する機能項目について、設定することが可能な機能をリスト状に表示した選択項目であり、該設定項目表示４０１に記載の内容に対応した項目が表示される。また、ユーザが設定した選択項目には、例えば選択項目に対応するいわゆるチェックボックスにチェックマークが付けられる表示がなされることにより、設定されていることをユーザに示す。
【００３７】
この例では、代替用のコンテンツを選択する場面であるので、ユーザは、入力部１１２を操作して、設定項目表示４０１として、例えば、「映像非表示状態で優先して再生する音声」の項目を選択する。すると、制御部１１０は、図４に例示するように、対応する機能項目４０２を表示する。この例では、代替コンテンツデータとして、音声のみで有意な情報となる、ＦＭ音声多重放送、デジタルラジオ、楽曲リスト再生（データ保存部１０２に予め格納されている音楽を予め定められている順番に再生する）、アーティスト指定楽曲再生（データ保存部１０２に予め格納されている音楽のうち、指定されたアーティストの音楽を順番に再生する）等の項目を含む。
【００３８】
ユーザは、操作部１１２を操作して、所望の機能項目４０２のチェックボックスにチェックを入れて、機能項目４０２を選択する。また、その後、編集処理などが必要な場合には、一般的な処理により編集動作を行う。
この例では、図４に示すように、代替コンテンツデータとしてデジタルラジオが選択され、続いて、そのチャネル番号等が選択される。
【００３９】
制御部１１０は、選択された代替コンテンツデータを特定するための情報をデータ保存部１０２に格納する。
【００４０】
その後、ユーザが、映像音声再生装置１００に対し、入力部１１２を介して、映像と音声を含む特定のデジタル放送波を受信・再生することを指示したとする。
【００４１】
この指示に応答して、制御部１１０は、受信部１０１、デコード部１０３、映像処理部１０４、音声処理部１０６等に、受信処理の指示を与える。
【００４２】
制御部１１０からの指示に応答して、受信部１０１は、アンテナから放送波を受信し、アンテナから得られる信号に基づき、デコード部１０３でデジタル処理可能なデータを復元する。また、復元したデジタルコンテンツデータをデコード部１０３に供給する。
【００４３】
デコード部１０３は、受信したデジタルコンテンツデータから、該デジタルコンテンツデータに含まれる映像データや音声データを分離し、各々を所定の映像信号や音声信号に変換して出力する。また、この際に映像信号と音声信号が対応して出力されるように、各々の信号の出力のタイミングの同期を取る。
【００４４】
映像処理部１０４はデコード部１０３から出力された映像信号を表示部１０５の入力に適した信号に変換し出力する。
【００４５】
また、音声処理部１０６はデコード部１０３から受けた音声信号をスピーカ１０７や音声出力端子１０８の入力に適した信号に変換し出力する。これにより、スピーカ１０７及び音声出力端子１０８を介して音声出力端子１０８に接続された音声出力装置１０９から音声が出力される。なお、音声処理部１０６は、入力部１１２を介して、ユーザから設定される音声出力の設定情報を制御部１１０を介して受け取り、該設定情報に基づき、デコード部１０３から受けた音声信号の出力先をスピーカ１０７と音声出力端子１０８のどちらか一方、もしくは両方に出力する。
【００４６】
以上の一連の動作により、映像音声再生装置１００により映像と音声を含むデジタルコンテンツデータの再生がなされる。
【００４７】
この状態において、映像音声再生装置１００の筐体が図２（ａ）に示す状態Ａの形状からの図２（ｂ）に示す状態Ｂの形状ように折りたたまれた際に、映像や音声を含むデジタルコンテンツデータの再生から、代替コンテンツデータの再生に切替える切替処理の動作の詳細について図３を参照しながら説明する。
【００４８】
先ず、切替処理では制御部１１０はセンサ部１１１から出力される信号により、映像音声再生装置１００の筐体が折りたたまれた状態か否かを確認する（ステップ３０２）。
【００４９】
該筐体が折りたたまれた状態でなければ（ステップ３０３；Ｎｏ）、制御部１１０は、映像の表示処理を継続する（ステップ３０４）。
そして、ユーザが入力部１１２を介してテレビ視聴の停止を指示したか否かを判別する（ステップ３０５）。
【００５０】
停止が指示された場合（ステップ３０５；Ｙｅｓ）、制御部１１０は、テレビ視聴を停止し切替処理を終了する、
停止が指示されていない場合（ステップ３０５；Ｎｏ）、制御部１１０は、上記ステップ３０２からはじまる筐体が折りたたまれているか否かの状態確認とそれに続く判別を繰り返す。
【００５１】
一方、ステップ３０３で、筐体が折りたたまれた状態であると判別すると（ステップ３０３；Ｙｅｓ）、ステップ３０６の処理に進む。
即ち、該筐体が折りたたまれた状態になった場合、制御部１１０は、次の３つの項目について判別する。
【００５２】
第一の判別では、制御部１１０は音声出力端末１０８に音声出力装置１０９が接続されているか否かを判別する（ステップ３０６）。
【００５３】
音声出力装置１０９が接続されていると判別すると（ステップ３０６；Ｙｅｓ）、第二の判別を行うためステップ３０７に進む。
音声出力装置１０９が接続されていないと判別すると（ステップ３０６；Ｎｏ）、代替コンテンツデータの再生に切替える動作を終了して上述したステップ３０５に進む。
【００５４】
第二の判別では、制御部１１０はデータ保存部１０２を参照して映像非表示の状態で再生する音声の代替コンテンツデータが指定されているか否かを判別する（ステップ３０７）。
【００５５】
代替コンテンツデータが指定されていると判別すると（ステップ３０７；Ｙｅｓ）、第三の判別を行うためステップ３０８に進む。
代替コンテンツデータが指定されていないと判別すると（ステップ３０７；Ｎｏ）、代替コンテンツデータの再生に切替える動作を終了して上述したステップ３０５に進む。
【００５６】
第三の判別では、制御部はデータ保存部１０２に格納された音声の代替コンテンツデータが再生可能な状態であるか否かを判別する（ステップ３０８）。
【００５７】
前記音声が再生可能な状態であると判別すると（ステップ３０８；Ｙｅｓ）、後述の代替コンテンツデータの再生に切替える動作を継続するためステップ３１０に進む。
例えば指定された音声ファイルが存在しないなどの原因により、前記音声が再生可能な状態ではないと判別すると（ステップ３０８；Ｎｏ）、代替コンテンツデータの再生に切替える動作を終了し上述したステップ３０５に進む。
【００５８】
前記音声が再生可能な状態であると判別すると（ステップＳ３０８；Ｙｅｓ）、制御部１１０は、ユーザが視聴していたテレビ放送の再生が停止する（ステップ３０９）。
【００５９】
次に、制御部１１０は、予めユーザが指定した音声の代替コンテンツデータの再生の開始を各部に指示する（ステップ３１０）。
即ち、映像音声再生装置１００が音声の代替コンテンツデータを再生する場合は、上述の手順でデコード部１０３が映像処理部１０４に対して映像信号を出力せず、音声処理部１０６にのみ音声信号を出力する。
【００６０】
そして、該音声の再生を終了まで継続する（ステップ３１１）。これにより、上述した一連の動作（ステップ３０６〜３１１）による音声のみでも有用なデジタルコンテンツデータの再生がなされる。
【００６１】
このように、ユーザが映像や音声を含むデジタルコンテンツデータを視聴中に、映像音声再生装置１００の筐体を折りたたむことによりユーザが映像を視聴しなくなると、それまで再生していた前記デジタルコンテンツデータの再生を停止し、予めユーザが設定した音声のみでも有用なデジタルコンテンツデータの音声の再生を開始する。
これにより、ユーザが映像を視聴しない場合にはユーザの好みの音声のみでも有用なデジタルコンテンツデータの再生が可能になる。また、ユーザの状況に合わせて再生するデジタルコンテンツデータの切り替えを円滑にすることができる。
【００６２】
なお、上述の実施の形態では、ユーザが映像音声再生装置１００を用いて視聴する映像や音声を含むデジタルコンテンツデータは、外部から放送波として受信したデジタルコンテンツデータを用いたが、予め所定の方法でデータ保存部１０２に記憶されたデジタルコンテンツデータであってもよい。また、映像と音声を含むデジタルコンテンツデータの音声データのみを再生するようにしてもよい。
【００６３】
（実施形態２）
次に本発明の実施形態２について説明する。本実施例では、実施形態１の映像音声再生装置１００において、前述したセンサ部１１１が光の照度を検出するセンサで構成されている場合について説明する。
【００６４】
以下、本実施例を図面に基づいて説明する。また、以下において、先の実施例と均等なものには同一の符号を付し、その説明は重複を避ける為に割愛する。
図５に示す実施形態２の映像音声再生装置１００は、図２に示す実施形態１と異なり、ヒンジ部２０１がなく筐体を折りたたむことができない。
また、センサ部１１１は、映像音声再生装置１００の筐体が折りたたまれたことを感知するのではなく、光の照度を検出するセンサである。
実施形態２の映像音声再生装置１００の筐体には、図５に示すように表示部１０５、スピーカ１０７、音声出力端子１０８、センサ部１１１、入力部１１２等が配置されている。
【００６５】
以下図５と図６を用いて本実施形態の切替処理の動作を説明する。本実施形態では、ユーザが映像音声再生装置１００で放送波として受信した映像や音声を含むデジタルコンテンツデータを視聴中に、例えば着衣のポケットやバッグの中に収納するなどにより映像を見なくなった場合には、音声の代替コンテンツデータの再生へ切り替える。
【００６６】
図６は、ステップ６０２とステップ６０３とを除いては、本発明の実施形態１で用いた図３と同じ流れになっている。
【００６７】
図３のステップ３０２においては、制御部１１０はセンサ部１１１により映像音声再生装置１００の筐体が折りたたまれた状態か否かを確認していたが、本実施形態の図６のステップ６０２では、センサ部１１１が検出する光の照度を示す信号を確認する（ステップ６０２）。
【００６８】
また、図３のステップ３０３においては、映像音声再生装置１００の筐体が折りたたまれた状態であるか否かに応じてその後の処理を変更していたが、本実施形態の図６のステップ６０３では、制御部１１０はステップ６０２により検出した前記信号に基づき、センサ部１１１の周囲が所定の設定値より明るいか否かを判別する（ステップ６０３）。
【００６９】
センサ部１１１の周囲が明るいと判別した場合（ステップ６０３；Ｙｅｓ）、本発明の実施形態１と同様に映像の表示処理を継続する（ステップ６０４）。また、その後の処理も実施形態１と同様である。
【００７０】
一方、センサ部１１１の周囲が暗いと判別した場合（ステップ６０３；Ｎｏ）、映像音声再生装置１００がユーザの着衣のポケットの中などに収納され、ユーザが映像を見なくなったとみなして、実施形態１において該筐体が折りたたまれた状態になった場合と同様の処理を行う（ステップ６０６〜６１１）。
【００７１】
このように、映像音声再生装置１００が筐体を折りたたみ可能な構造ではない場合でも、センサ部１１１に光の照度を検出するセンサを用いることで本発明を適用できる。
これにより、ユーザが映像を視聴しない場合にはユーザの好みの音声のみでも有用なデジタルコンテンツデータの再生が可能になる。また、ユーザの状況に合わせて再生するデジタルコンテンツデータの切り替えを円滑にすることができる。
【００７２】
（実施形態３）
次に本発明の実施形態３について説明する。本実施例では、実施形態１で述べた映像音声再生装置１００において、放送波として受信するデジタルコンテンツデータの映像を見なくなり、代替コンテンツデータの再生に切替える際に、同時にそれまで視聴していた放送波の記録（録画）を開始し、再びユーザが映像を見る状態になった際には録画したデータを再生する。
【００７３】
以下、本実施例の切替処理の動作を図７に基づいて説明する。また、以下において、先の実施例と均等なものには同一の符号を付し、その説明は重複を避ける為に割愛する。
【００７４】
図７に示す実施形態４の切替処理は、ステップ７１０からステップ７１８を除いては、図３に示す実施形態１の流れ図と同じ流れになっている。
図３と異なるステップ７１０からステップ７１８についての動作の流れを説明する。
【００７５】
実施形態１と同様の動作で、映像音声再生装置１００の筐体が折りたたまれたことにより、テレビの再生を停止した後（ステップ７０９）、制御部１１０はデコード部１０３を制御して、テレビ放送の録画を開始する（ステップ７１０）。このとき、デコード部１０３は受信部１０１から受けた信号に基づき、映像と音声を含むデジタルコンテンツデータをデータ保存部１０２に記憶する。
【００７６】
次に、本発明の実施形態１のステップ３１０、３１１と同様の動作で、制御部１１０は予めユーザに指定された代替デジタルコンテンツデータの再生を開始し、それを継続する（ステップ７１１、ステップ７１２）。
【００７７】
さらに、本実施形態では、該音声を再生中に、制御部１１０はセンサ部１１１により映像音声再生装置１００の筐体が折りたたまれているか否か確認する（ステップ７１３）。
映像音声再生装置１００の筐体が折りたたまれている場合（ステップ７１４；Ｙｅｓ）、ステップ７１２の処理に戻して該音声の代替デジタルコンテンツデータの再生を継続する。
【００７８】
一方、映像音声再生装置１００の筐体がユーザにより開かれて、折りたたまれていない状態である場合（ステップ７１４；Ｎｏ）、制御部１１０は、上述した音声の再生に関係する各部に指示を与え、該音声の再生を停止する（ステップ７１５）。
【００７９】
そして、制御部１１０はデコード部１０３を制御してテレビ録画を停止させる（ステップ７１６）。
【００８０】
さらに、制御部１１０はデコード部１０３を制御して、データ保存部１０２に前記の手順で記憶したテレビ放送を再生させる（ステップ７１７）。また、ユーザの入力部１１２を介した操作を制御部１１０が監視することにより、制御部１１０が再生停止の操作を検出するまで該デジタルコンテンツデータの再生を継続する（ステップ７１８；Ｎｏ、ステップ７１７）。
【００８１】
以上のように、実施形態３では映像と音声を含むデジタルコンテンツを視聴中にユーザが該視聴をやめると音声の代替コンテンツデータの再生に切り替える。また、それと同時に、視聴していた映像と音声のデジタルコンテンツの記録を開始する。そして、ユーザが映像と音声のデジタルコンテンツの視聴を再開する状態になると、記録した映像と音声のデジタルコンテンツの再生を再開する。
これにより、再生するデジタルコンテンツデータをユーザの状況に合わせて円滑に切り替えることができる。
【図面の簡単な説明】
【００８２】
【図１】本発明の映像音声再生装置の構成を示すブロック図である。
【図２】実施形態１の映像音声再生装置の概観図である。
【図３】実施形態１の映像音声再生装置の動作を説明するための流れ図である。
【図４】表示部のメニュー画面の例を示す図である。
【図５】実施形態２の映像音声再生装置の概観図である。
【図６】実施形態２の映像音声再生装置の動作を説明するための流れ図である。
【図７】実施形態３の映像音声再生装置の動作を説明するための流れ図である。
【符号の説明】
【００８３】
１００・・・映像音声再生装置、１０１・・・受信部、１０２・・・データ保存部、１０３・・・デコード部、１０４・・・映像処理部、１０５・・・表示部、１０６・・・音声処理部、１０７・・・スピーカ、１０８・・・音声出力端子、１０９・・・音声出力装置、１１０・・・制御部、１１１・・・センサ部、１１２・・・入力部、２０１・・・ヒンジ部、２０２・・・第１の筐体、２０３・・・第２の筐体、４０１・・・設定項目表示、４０２・・・機能項目
【図１】
2007306430.tif 000003
【図２】
2007306430.tif 000004
【図３】
2007306430.tif 000005
【図４】
2007306430.tif 000006
【図５】
2007306430.tif 000007
【図６】
2007306430.tif 000008
【図７】
2007306430.tif 000009